(57)【要約】【課題】第１の回路部と第２の回路部を設けた単一の制御基板を備えた遊技機において、前記第１の回路部と前記第２の回路部の一方の回路部又はその回路部と接続されている外部機器から発生する伝搬ノイズが、他方の回路部に影響を与えるのを抑え、誤動作が起きるのを減少させる。【解決手段】遊技に関して互いに異なる機能を有する少なくとも第１の回路部１４１と第２の回路部１４３を設けた単一の制御基板１４０と、前記第１の回路部と第２の回路部に異なる電力を供給する電源装置１７０とを備え、前記第１の回路部と前記第２の回路部を前記制御基板に分離配置し、前記制御基板には、前記第１の回路部と前記第２の回路部の間に電気的共用性を持たない絶縁領域１４４を設けると共に、前記第１の回路部と前記第２の回路部を電気的に非接触状態で通信可能な送信部と受信部を有する信号伝達手段１４５を設けた。【選択図】        図７
2004254723.tif 000002
【特許請求の範囲】
【請求項１】
遊技に関して互いに異なる機能を有する少なくとも第１の回路部と第２の回路部を設けた単一の制御基板と、前記第１の回路部と第２の回路部に異なる電力を供給する電源装置とを備えた遊技機において、
前記第１の回路部と前記第２の回路部を前記制御基板に分離配置し、前記制御基板には、前記第１の回路部と前記第２の回路部の間に電気的共用性を持たない絶縁領域を設けると共に、前記第１の回路部と前記第２の回路部間を電気的に非接触状態で通信可能な送信部と受信部を有する信号伝達手段を設けたことを特徴とする遊技機。
【請求項２】
前記第１の回路部は、遊技領域に設けられた入賞領域に遊技球が入賞することを起因に遊技球を払い出す賞球払出回路で構成され、
前記第２の回路部は、遊技者が遊技球の貸与を受けるために操作を行う球貸操作手段の操作に起因して遊技球を貸し出す貸球払出回路で構成されていることを特徴とする請求項１に記載の遊技機。
【請求項３】
前記電源装置は、前記第１の回路部と前記第２の回路部の何れか一方に直流電力を供給し、他方に交流電力を供給するように構成されていることを特徴とする請求項１又は２に記載の遊技機。
【請求項４】
前記制御基板の制御を行うためのＣＰＵを、前記第１の回路部と前記第２の回路部の何れか一方のみに設け、前記ＣＰＵにより前記第１の回路部と前記第２の回路部を制御することを特徴とする請求項１から３の何れか一項に記載の遊技機。
【請求項５】
前記信号伝達手段は、光信号で送受信することを特徴とする請求項１から４の何れか一項に記載の遊技機。
【請求項６】
記憶媒体挿入口を備え、前記記憶媒体挿入口に挿入された記憶媒体を読み取る読取装置が、前記第１の回路部と前記第２の回路部の何れか一方に接続されていることを特徴とする請求項１から５の何れか一方に記載の遊技機。
【発明の詳細な説明】
【０００１】
【発明の属する技術分野】
本発明は、遊技機に関し、特には遊技に関して互いに異なる機能を有する少なくとも第１の回路部と第２の回路部を設けた単一の制御基板と、前記第１の回路部と第２の回路部に異なる電力を供給する電源装置とを備えた遊技機に関する。
【０００２】
【従来の技術】
従来、パチンコ遊技機等の遊技機においては、遊技に関する複数の制御基板がプラスチック製の基板収納ボックスに収納されて遊技機の裏面側に配置されている。前記複数の制御基板の中には、例えば遊技球が入賞口等へ入球した場合に遊技者が獲得する賞球や、遊技者が遊技を行うのに使用する遊技球として貸与される貸球等に関する払出を制御する払出制御基板がある。さらに、前記払出制御基板には、賞球の払出を制御する賞球払出回路部と貸球の払出を制御する貸球払出制御回路部が設けられている。
【０００３】
また、１つの容器に収納される単一基板に、制御の機能分割毎の領域を区分し、それらの領域毎に機能分割された制御部品を実装すると共に、機能分割された制御部品どうしをコネクタで接続することにより、小型化と取付容易化を行ってコストダウンを図った遊技制御装置も提案されている（特許文献１参照。）
【０００４】
【特許文献１】特開２００２−１９１８２１
【０００５】
【発明が解決しようとする課題】
しかし、例えば単一基板に領域を区分して賞球払出回路部と貸球払出回路部を設ける場合、前記賞球払出回路部と貸球払出回路部は、単一基板に形成された導電性の同一グラウンド面上に設けられたり、コネクタで互いに電気的に直接接続されるため、互いに相手回路や別回路からノイズによる影響を受けやすく、誤動作を起こす可能性がある。特に前記賞球払出回路部は比較的安定した直流（ＤＣ）電圧により稼働するのに対し、前記貸球払出回路部は電流の向きや電圧が周期的に変化する交流（ＡＣ）電圧により稼働するため、前記賞球払出回路部と貸球払出回路部は、それぞれ相手の回路部からのノイズが電気的に伝搬することによる影響を電子部品が受け、誤動作を起こす可能性が高い。
【０００６】
本発明は上記の問題点に鑑みてなされたものであって、遊技に関して互いに異なる機能を有する少なくとも第１の回路部と第２の回路部を設けた単一の制御基板と、前記第１の回路部と第２の回路部に異なる電力を供給する電源装置とを備えた遊技機において、前記第１の回路部と前記第２の回路部の一方の回路部又はその回路部と接続されている外部機器から発生する伝搬ノイズが、他方の回路部に影響を与えるのを抑え、誤動作を減少させることができる遊技機の提供を目的とする。
【０００７】
【課題を解決するための手段】
請求項１の発明は、遊技に関して互いに異なる機能を有する少なくとも第１の回路部と第２の回路部を設けた単一の制御基板と、前記第１の回路部と第２の回路部に異なる電力を供給する電源装置とを備えた遊技機において、前記第１の回路部と前記第２の回路部を前記制御基板に分離配置し、前記制御基板には、前記第１の回路部と前記第２の回路部の間に電気的共用性を持たない絶縁領域を設けると共に、前記第１の回路部と前記第２の回路部間を電気的に非接触状態で通信可能な送信部と受信部を有する信号伝達手段を設けたことを特徴とする。
【０００８】
請求項２の発明は、請求項１において、前記第１の回路部は、遊技領域に設けられた入賞領域に遊技球が入賞することを起因に遊技球を払い出す賞球払出回路で構成され、前記第２の回路部は、遊技者が遊技球の貸与を受けるために操作を行う球貸操作手段の操作に起因して遊技球を貸し出す貸球払出回路で構成されていることを特徴とする。
【０００９】
請求項３の発明は、請求項１又は２において、前記電源装置が、前記第１の回路部と前記第２の回路部の何れか一方に直流電力を供給し、他方に交流電力を供給するように構成されていることを特徴とする。
【００１０】
請求項４の発明は、請求項１から３の何れか一項において、前記制御基板の制御を行うためのＣＰＵを、前記第１の回路部と前記第２の回路部の何れか一方のみに設け、前記ＣＰＵにより前記第１の回路部と前記第２の回路部を制御することを特徴とする。
【００１１】
請求項５の発明は、請求項１から４の何れか一項において、前記信号伝達手段が、光信号で送受信することを特徴とする。
【００１２】
請求項６の発明は、請求項１から５の何れか一項において、記憶媒体挿入口を備え、前記記憶媒体挿入口に挿入された記憶媒体を読み取る読取装置が、前記第１の回路部と前記第２の回路部の何れか一方に接続されていることを特徴とする。
【００１３】
【発明の実施の形態】
以下図面を用いて本発明の実施形態を説明する。図１は本発明の一実施例に係る遊技機について盤面の釘を省略して示す正面図、図２は図１の実施例に係る遊技機の背面図、図３は同遊技機の電気制御を簡略に示すブロック図、図４は同遊技機の払出制御基板を簡略に示す平面図、図５は従来の遊技機の払出制御基板を簡略に示す平面図、図６は本発明の一実施例に係る遊技機における払出制御基板の詳細図、図７は同遊技機における電源基板と払出制御基板とプリペイドカードユニットの接続を示す簡略な回路図、図８は同遊技機における払出制御基板の収納ボックスを示す斜視図である。
【００１４】
図１に示す遊技機１０は、本発明の一実施例に係るパチンコ遊技機であり、前枠１１に遊技盤１３が取り付けられ、その遊技盤１３を覆うガラス扉１５が前枠１１の前面側に開閉可能に取り付けられている。前記遊技盤１３の遊技領域１４には、各種入賞口１８ａ，１８ｂ，１８ｃ、始動口１９、普通図柄始動ゲート２０が設けられている。そして、発射装置２５により遊技盤１３の遊技領域１４へ発射された遊技球が入賞口１８ａ，１８ｂへ入球（入賞）することにより、所定数の遊技球（賞品球）が払い出され、また前記発射された遊技球が始動口１９へ入球することにより、遊技盤１３上の表示装置１６における特別図柄表示部１６ａで複数の図柄が変動し、その後に特定の図柄で停止することにより、大当たりとなって入賞口（大入賞口）１８ｃが開き、前記入賞口（大入賞口）１８ｃに遊技球が入球し易くなるように構成されている。なお、前記普通図柄始動ゲート２０に遊技球が入球すると、遊技盤１３上の普通図柄表示部１６ｂで図柄が変動し、特定の図柄で停止することにより、小当たりとなって前記始動口１９が略Ｖ字形に拡開して入球し易くなる。前記大当たり時に開いた入賞口（大入賞口）１８ｃや前記小当たり時に拡開した始動口１９へ入球すると所定数の遊技球（賞品球）が払い出される。図１における符号２３は遊技球を受ける上皿、２４は下皿、２６は発射レバー、２７はスピーカ、２８は遊技演出あるいは報知用のランプ表示器、２９は記憶媒体の読取装置としてのプリペイドカードユニット、３０は外枠、４１は球貸操作部である。
【００１５】
前記プリペイドカードユニット２９には記憶媒体挿入口としてカード挿入口２９ａが設けられており、遊技球の貸出可能情報（金額データ）が記憶されているプリペイドカード（記憶媒体）を遊技者が前記カード挿入口２９ａに挿入すると、前記プリペイドカード（記憶媒体）に記憶されている貸出可能データを読み込み、前記上皿２３の前方端部に設けられた球貸操作部４１の度数表示器４２に度数等で球貸し可能な球貸し情報を表示するようになっている。前記球貸操作部４１は、遊技者が貸球としての遊技球の貸与を受けるために操作を行う押ボタン式球貸スイッチ（本発明における球貸操作手段に相当する。）４３と、前記プリペイドカードを排出するためのカード排出手段としての押しボタン式カード返却スイッチ４４を備え、前記プリペイドカードユニット２９と接続されている。また、前記プリペイドカードユニット２９は後述の払出制御基板１４０に接続され、さらに前記払出制御基板１４０は後述の貸球払出装置１９０に接続されている。そして、遊技者による前記押ボタン式球貸スイッチ（球貸操作手段）４３の操作に起因し、前記貸球払出装置１９０が作動して設定された数の遊技球（貸球）が上皿２３に払い出され、払い出し後の貸出可能情報（金額データ）が前記プリペイドカード（記憶媒体）に記憶される。
【００１６】
前記遊技機１０の裏面側、すなわち、前記前枠１１の裏面や、該前枠１１の裏面に取り付けられた基枠（図示せず）あるいは前記遊技盤１３等の裏面には、図２に示すように、遊技制御のための制御基板として、主制御基板１１０、表示制御基板１２０、発射制御基板１３０、払出制御基板１４０、ランプ制御基板１５０、音声制御板１６０、電源基板１７０等が、所要サイズの基板収納ボックス１１０Ｃ，１２０Ｃ，１３０Ｃ，１４０Ｃ，１５０Ｃ，１６０Ｃ，１７０Ｃ等に収容された状態で取り付けられている。符号３８は球貯留タンク、３９は誘導樋である。
【００１７】
前記主制御基板１１０は、遊技の主制御を行い、副制御基板（表示制御基板１２０、発射制御基板１３０、払出制御基板１４０等）等に制御信号（コマンド）を送信する。前記主制御基板１１０は、ＣＰＵ、ＲＯＭ、ＲＡＭ、複数のカウンタを備えたコンピュータと、該コンピュータと副制御基板等を結ぶ入出力回路と、前記コンピュータと入賞口（大入賞口）１８ｃに接続される中継基板等を結ぶ入出力回路等で構成されている。前記ＣＰＵは、制御部，演算部，各種カウンタ，各種レジスタ，各種フラグ等を備え、演算制御を行う他、大当たりの発生確率や小当たりの発生確率を定める乱数等も生成している。また、各種検出信号用の記憶領域，ＣＰＵで生成される各種乱数値用の記憶領域，各種データを一時的に記憶する記憶領域やフラグ，ＣＰＵの作業領域を備える。さらに、前記ＲＯＭには、遊技上の制御プログラムや制御データが書き込まれている他、大当たり及び小当たりの判定値等が書き込まれている。
【００１８】
前記表示制御基板１２０は、ＣＰＵ，ＲＡＭ，ＲＯＭを備えたコンピュータと、該コンピュータと前記主制御基板１１０を結ぶ入力回路と、前記コンピュータと表示装置１６の特別図柄表示部１６ａ及び普通図柄表示部１６ｂを結ぶ出力回路等で構成される。前記ＣＰＵは、内部に制御部，演算部，各種カウンタ，各種レジスタ，各種フラグ等を有し演算制御を行うようになっている。また、前記ＲＡＭは、各種データの記憶領域と前記ＣＰＵによる作業領域等を有している。さらに、前記ＲＯＭには、前記特別図柄表示部１６ａへの表示データや各種表示プログラム等のデータが書き込まれている。前記表示制御基板１２０は、前記主制御基板１１０と共に、プログラムに従い前記特別図柄表示部１６ａに表示させる演出表示態様の表示制御を行う。
【００１９】
前記発射制御基板１３０は、所定時間間隔で遊技球を遊技領域１４へ向けて発射させるように前記発射装置２５の駆動源を制御する。
【００２０】
前記払出制御基板１４０は、図４の簡略平面図及び図６の詳細平面図に示すように、一つの単一基板上に賞球払出回路１４１と貸球払出回路１４３とを備え、遊技球の払い出しに関する制御を行う。前記賞球払出回路１４１と前記貸球払出回路１４３は、本発明において遊技に関する異なる機能を有する第１の回路部（前記賞球払出回路１４１）と第２の回路部（前記貸球払出回路１４３）に相当する。前記賞球払出回路１４１は、前記遊技領域１４に設けられている入賞領域、すなわち前記各種入賞口１８ａ，１８ｂ，１８ｃ及び始動口１９に遊技球が入賞（入球）したことを、前記各種入賞口１８ａ，１８ｂ，１８ｃ及び始動口１９に設けられている入賞検出スイッチで検出すると、賞球払出装置１８０から所定数の遊技球を賞球として払い出すように制御する。それに対して、前記貸球払出回路１４３は、遊技者が貸球としての遊技球の貸与を受けるために前記球貸操作部１４１の押ボタン式球貸スイッチ（球貸操作手段）４３を操作することにより、球貸払出装置１９０から所定数の遊技球を貸球として払い出すように制御する。
【００２１】
前記払出制御基板１４０上において、前記賞球払出回路（第１の回路部）１４１と前記貸球払出回路（第２の回路部）１４３は互いに分離して配置されると共に、前記賞球払出回路（第１の回路部）１４１と前記貸球払出回路（第２の回路部）１４３の間には、電気的共用性を持たない、すなわち互いに電気的に共通利用されることの無い絶縁領域１４４が設けられ、前記絶縁領域１４４によって分割されている。この例における前記絶縁領域１４４は、５ｍｍ幅程度の所要長からなる帯状（ライン状）に形成されている。さらに、前記賞球払出回路（第１の回路部）１４１と前記貸球払出回路（第２の回路部）１４３は、それぞれ公知のベタグラウンド処理が行われている。ベタグラウンド処理は、前記賞球払出回路（第１の回路部）１４１と前記貸球払出回路（第２の回路部）１４３の電源ラインを安定させるため、ラインの面積を増やすことにより抵抗成分を小さくし、電子部品の動作によるラインノイズや外部からのノイズの影響を抑えるようにする処理である。なお、本発明における前記払出制御基板１４０の絶縁領域１４４に関する理解を容易にするため、図５に、前記絶縁領域１４４が存在しない従来の払出制御基板１４０Ａを示す。従来の払出制御基板１４０Ａは、単一基板における共通の電気的材質（銅板等からなる同一のグラウンド）１４２Ａ上に賞球払出回路１４１Ａと貸球払出回路１４３Ａが配置されており、前記賞球払出回路１４１Ａと前記貸球払出回路１４３Ａは、本発明におけるような絶縁領域を介して分離したものではなく、プリント配線等の電気的接続手段で互いに接続されている。図５における符号１４７Ａはカードユニット接続端子である。
【００２２】
また、本発明における前記払出制御基板１４０には、前記賞球払出回路（第１の回路部）１４１と前記貸球払出回路（第２の回路部）１４３を電気的に非接触状態で通信可能にする、送信部１４５ａと受信部１４５ｂを有する信号伝達手段１４５が設けられ、前記信号伝達手段１４５によって前記賞球払出回路（第１の回路部）１４１と前記貸球払出回路（第２の回路部）１４３間の信号送受信が行われる。前記「電気的に非接触状態」は、具体的にはプリント配線等のような電気伝導性を有する部材や装置によって前記賞球払出回路（第１の回路部）１４１と前記貸球払出回路（第２の回路部）１４３間が接続（連結）されていない状態を言う。
【００２３】
この実施例では、前記信号伝達手段１４５として、光信号で送受信を行う公知のフォトカプラーが、前記絶縁領域１４４と接触しないように、前記絶縁領域１４４を跨いで前記賞球払出回路（第１の回路部）１４１と前記貸球払出回路（第２の回路部）１４３間に複数配設されている。また、前記複数のフォトカプラーには、前記賞球払出回路（第１の回路部）１４１と前記貸球払出回路（第２の回路部）１４３間で双方向通信が可能なように、前記送信部１４５ａ及び受信部１４５ｂを逆の位置にした二種類のものが用いられている。なお、前記信号伝達手段１４５は、フォトカプラーに限られるものではなく、前記賞球払出回路（第１の回路部）１４１と前記貸球払出回路（第２の回路部）１４３間を電気的に非接触で通信できるものであればよく、リレー等のように電磁力でスイッチのオン・オフを行うことによって通信するようなものでもよい。また、前記送信部と受信部は、それぞれ一方の機能のみを有するものに限られず、送信機能と受信機能を併用するものであってもよい。さらに、前記信号伝達手段１４５は、一信号伝達装置内に双方向通信可能な送信部と受信部を備えるものであってもよい。
【００２４】
前記賞球払出回路（第１の回路部）１４１と前記貸球払出回路（第２の回路部）の何れか一方のみ、この例では図４、図６、図７に示すように前記賞球払出回路（第１の回路部）１４１のみに、前記払出制御基板１４０の制御、すなわち前記賞球払出回路（第１の回路部）１４１及び前記貸球払出回路（第２の回路部）１４３の制御を行う共通のＣＰＵ１４６を備える。
【００２５】
また、前記賞球払出回路（第１の回路部）１４１と前記貸球払出回路（第２の回路部）の何れか一方には、前記プリペイドカードユニット（読取装置）２９が接続されている。この実施例では、図７に示すように、前記貸球払出回路（第２の回路部）１４３に前記プリペイドカードユニット（読取装置）２９が接続され、前記プリペイドカード（記憶媒体）の貸出可能情報（金額データ）及び前記球貸スイッチ（球貸操作手段）４３の操作に応じて、前記貸球払出回路（第２の回路部）１４３を介して前記貸球払出装置１９０を制御し、また前記プリペイドカードユニット（読取装置）２９が貸球払い出し後の貸出可能情報（金額データ）を前記プリペイドカード（記憶媒体）に記憶するようになっている。
【００２６】
なお、前記払出制御基板１４０と前記カードユニット（読取装置）２９との接続は、前記払出制御基板１４０に設けられたカードユニット接続端子１４７を介して行われる。
【００２７】
前記ランプ制御基板１５０は前記ランプ表示器２８を制御し、前記音声制御基板１６０は前記スピーカ２７からの音声発生を制御する。
【００２８】
前記電源基板１７０は、本発明の電源装置に相当し、前記主制御基板１１０、前記表示制御基板１２０、前記払出制御基板１４０、前記ランプ制御基板１５０、前記音声制御基板１６０等へ所要の電気を供給する。特に前記払出制御基板１４０の前記賞球払出回路（第１の回路部）１４１と前記貸球払出回路（第２の回路部）１４３へは、互いに異なる電力（直流か交流、電圧あるいは電流の値等の少なくとも一種類が異なる電気）を供給するようになっている。この例では、図７に示すように、前記電源基板１７０から前記賞球払出回路（第１の回路部）１４１へ比較的安定した直流電力（ＤＣ：５Ｖ、１２Ｖ、３４Ｖ）を供給し、それに対して前記貸球払出回路（第２の回路部）１４３へは電流の向きや電圧が周期的に変化する交流電力（ＡＣ：２４Ｖ）を供給している。前記貸球払出回路（第２の回路部）１４３へ供給された交流電力（ＡＣ：２４Ｖ）は、さらに前記プリペイドカードユニット（読取装置）２９へ供給される。また、前記プリペイドカードユニット（読取装置）２９には、遊技機１０の外部から１００Ｖの交流電力も供給される。
【００２９】
このように、前記プリペイドカードユニット（読取装置）２９には、異なる電圧（２４Ｖ、１００Ｖ）の交流電力が流れるため、前記プリペイドカードユニット（読取装置）２９でノイズが発生し、前記プリペイドカードユニット（読取装置）２９と接続されている前記貸球払出回路（第２の回路部）１４３に前記ノイズが伝搬する。前記貸球払出回路（第２の回路部）１４３に伝搬したノイズは、前記貸球払出回路（第２の回路部）１４３と前記賞球払出回路（第１の回路部）が前記絶縁領域１４４の存在及び電気的非接触状態の信号伝達手段１４５によって電気的に接続されていないため、前記貸球払出回路（第２の回路部）１４３から前記賞球払出回路（第１の回路部）へ前記ノイズが伝搬するのが防止され、前記賞球払出回路（第１の回路部）で電子部品の誤動作を減少させることができる。さらに、前記貸球払出回路（第２の回路部）１４３に生じるノイズの原因として、前記プリペイドカードユニット（読取装置）２９内のモータやソレノイドの作動に起因するものもあるが、それらのノイズも、前記絶縁領域１４４の存在及び電気的非接触状態の信号伝達手段１４５によって前記賞球払出回路（第１の回路部）への伝搬が防止される。
【００３０】
それに対して、図５に示した従来の払出制御基板１４０Ａにおいては、前記プリペイドカードユニット（読取装置）から前記貸球払出回路（第２の回路部）１４３Ａへ伝搬したノイズは、前記プリント回路等の電気的接続手段によって前記貸球払出回路（第２の回路部）１４３Ａと接続されている前記賞球払出回路（第１の回路部）１４１Ａへ伝搬し、それにより前記賞球払出回路（第１の回路部）１４１Ａにおける電子部品に対する電源を不安定にし、前記賞球払出回路（第１の回路部）１４１Ａの誤動作を引き起こすおそれがある。
【００３１】
図８は払出制御基板収納ボックス１４０Ｃの分解斜視図である。前記払出制御基板収納ボックス１４０Ｃは、透明なアクリル樹脂で構成され、カバー体１４１Ｃとケース体１４２Ｃとで構成される。前記払出制御基板収納ボックス１４０Ｃへの前記払出制御基板１４０の収納は、前記ケース体１４２Ｃに前記払出制御基板１４０をセット後、前記ケース体１４２Ｃと前記カバー体１４１Ｃを合体させ、前記カバー体１４１Ｃと前記ケース体１４２Ｃに形成されている封止結合部１４３Ｃ，１４４Ｃに封止ピン１４５Ｃを挿入することにより行われる。この実施例では、前記封止結合部１４３Ｃ，１４４Ｃに前記封止ピン１４５Ｃが一旦挿入されると、その後は前記封止ピン１４５Ｃが自由に抜けなくなり、前記封止結合部１４３Ｃの一部を切断しなければ、前記カバー体１４１Ｃと前記ケース体１４２Ｃを分離させることができず、前記払出制御基板収納ボックス１４０Ｃから前記払出制御基板１４０を取り出すことができないようにされている。そのため、前記払出制御基板１４０に対して不正が行われたことが視認可能となる。
【００３２】
なお、本発明は前記実施例のものに限られるものではなく、本発明の趣旨を逸脱しない範囲で適宜変更が加えられてもよい。例えば、払出制御基板以外の制御基板に、前記第１の回路部と前記第２の回路部の間に電気的共用性を持たない絶縁領域を設けると共に、前記第１の回路部と前記第２の回路部を電気的に非接触状態で通信可能な送信部と受信部を有する信号伝達手段を設けてもよい。
【００３３】
また、前記実施例では第１の回路部と第２の回路部の２つの回路部間に電気的共用性を持たない絶縁領域を設けると共に、前記第１の回路部と前記第２の回路部を電気的に非接触状態で通信可能な送信部と受信部を有する信号伝達手段を設けたが、本発明は、３以上の回路部間においても電気的共用性を持たない絶縁領域を設けると共に、前記電気的に非接触状態で通信可能な送信部と受信部を有する信号伝達手段を設けた構成にしてもよい。
【００３４】
さらに本発明は、パチンコ遊技機に限られるものではなく、遊技に関する異なる機能を有する第１の回路部と第２の回路部を備えた単一の制御基板を有する他の遊技機、例えばスロットマシン等にも適用可能である。
【００３５】
【発明の効果】
前記のように、請求項１に係る発明によれば、遊技に関して互いに異なる機能を有する少なくとも第１の回路部と第２の回路部を設けた単一の制御基板と、前記第１の回路部と第２の回路部に異なる電力を供給する電源装置とを備えた遊技機において、前記第１の回路部と前記第２の回路部を前記制御基板に分離配置し、前記制御基板には、前記第１の回路部と前記第２の回路部の間に電気的共用性を持たない絶縁領域を設けると共に、前記第１の回路部と前記第２の回路部間を電気的に非接触状態で通信可能な送信部と受信部を有する信号伝達手段を設けたため、前記第１の回路部或いは第２回路部に生じたノイズが互いに電気的に伝搬するのを抑えることができ、前記制御基板の電子部品が前記ノイズで誤動作するのを減少させることができる。
【００３６】
請求項２の発明によれば、第１の回路部は、遊技領域に設けられた入賞領域に遊技球が入賞することを起因に遊技球を払い出す賞球払出回路で構成され、前記第２の回路部は、遊技者が遊技球の貸与を受けるために操作を行う球貸操作手段の操作に起因して遊技球を貸し出す貸球払出回路で構成されているため、前記賞球払出回路或いは貸球払出回路に生じたノイズが互いに影響するのを抑え、前記制御基板の電子部品が前記ノイズで誤動作するのを減少させることができる。
【００３７】
請求項３の発明によれば、前記電源装置が前記第１の回路部と前記第２の回路部の何れか一方に直流電力を供給し、他方に交流電力を供給するため、前記第１の回路部或いは第２の回路部から生じたノイズが、直流電力側や交流電力側に互いに影響を与えるのを抑え、前記制御基板の電子部品が前記ノイズで誤動作するのを減少させることができる。
【００３８】
請求項４の発明によれば、前記制御基板の制御を行うためのＣＰＵを、前記第１の回路部と前記第２の回路部の何れか一方のみに設け、前記ＣＰＵにより前記第１の回路部と前記第２の回路部を制御するため、前記第１の回路部と前記第２の回路部の何れか一方に設けたＣＰＵにより他方の回路部を制御することができ、構造が簡略になる。
【００３９】
請求項５の発明によれば、前記信号伝達手段が、光信号で送受信するものであるため、前記第１の回路部及び第２の回路部で発生したノイズが、前記第１の回路部と第２の回路部間の通信により電気的に互いに伝搬するのを抑えることができ、前記制御基板の電子部品が前記ノイズで誤動作するのを減少させることができる。
【００４０】
請求項６の発明によれば、記憶媒体挿入口を備え、前記記憶媒体挿入口に挿入された記憶媒体を読み取る読取装置が、前記第１の回路部と前記第２の回路部の何れか一方に接続されているため、前記読取装置によって発生するノイズが、前記読取装置と接続されている回路部へ伝搬することがあっても、さらに他の回路部へ伝搬することを抑えることができ、前記制御基板の電子部品が前記ノイズで誤動作するのを減少させることができる。
【図面の簡単な説明】
【図１】本発明の一実施例に係る遊技機の正面図である。
【図２】図１の実施例に係る遊技機の背面図である。
【図３】同遊技機の電気制御を簡略に示すブロック図である。
【図４】同遊技機の払出制御基板を簡略に示す平面図である。
【図５】従来の遊技機の払出制御基板を簡略に示す平面図である。
【図６】本発明の一実施例に係る遊技機における払出制御基板の詳細平面図である。
【図７】同遊技機における電源基板と払出制御基板とプリペイドカードユニットの接続を示す簡略な回路図である。
【図８】同遊技機における払出制御基板の収納ボックスを示す斜視図である。
【符号の説明】
１０  遊技機
１４  遊技領域
１８  入賞口（入賞領域）
１９  始動口（入賞領域）
２９  プリペイドカードユニット（読取装置）
２９ａ  カード挿入口（記憶媒体挿入口）
４３  押ボタン式球貸スイッチ（球貸操作手段）
１４０  払出制御基板
１４１  賞球払出回路（第１の回路部）
１４３  貸球払出回路（第２の回路部）
１４４  電気的共用性を持たない絶縁領域
１４５  信号伝達手段
１４５ａ  送信部
１４５ｂ  受信部
１４６  払出制御基板のＣＰＵ
１７０  電源基板（電源装置）
【図１】
2004254723.tif 000003
【図２】
2004254723.tif 000004
【図３】
2004254723.tif 000005
【図４】
2004254723.tif 000006
【図５】
2004254723.tif 000007
【図６】
2004254723.tif 000008
【図７】
2004254723.tif 000009
【図８】
2004254723.tif 000010